(57)【要約】【課題】複数のシート部材が積層された構造を有する光学シートを用いる場合において、製造工程が複雑になるのを抑制しながら、複数のシート部材の積層順序を確認することが可能な表示装置を提供する。【解決手段】この表示装置は、液晶表示パネル５の背面側に設けられたバックライトカバー１１と、バックライトカバー１１に収納され、複数のシート１８〜２２が積層された構造を有する光学シート１５とを備えている。そして、複数のシート１８〜２２の各々には、互いに異なる切り欠き幅Ｗ１〜Ｗ５を有する切り欠き部１８ａ〜２２ａが形成されており、複数のシート１８〜２２は、切り欠き部１８ａ〜２２ａが階段状に重なるように積層されている。【選択図】図３
2008014992.tif 000002
【特許請求の範囲】
【請求項１】
表示パネルと、
前記表示パネルの背面側に設けられた収納部材と、
前記収納部材に収納され、複数のシート部材が積層された構造を有する光学シートとを備え、
前記複数のシート部材の各々には、互いに異なる切り欠き幅を有する切り欠き部が形成されており、
前記複数のシート部材は、前記切り欠き部が階段状に重なるように積層されていることを特徴とする表示装置。
【請求項２】
前記複数のシート部材は、前記切り欠き部の切り欠き幅が一方側から前記一方側とは反対の他方側に向かって徐々に大きくなるように積層されていることを特徴とする請求項１に記載の表示装置。
【請求項３】
前記収納部材は、底部を有しており、
前記複数のシート部材は、前記切り欠き部の切り欠き幅が前記収納部材の底部側から前記収納部材の底部側とは反対側に向かって徐々に大きくなるように積層されていることを特徴とする請求項１または２に記載の表示装置。
【請求項４】
前記表示パネルは、表示領域と非表示領域とを有し、
前記シート部材に形成された前記切り欠き部は、前記非表示領域に対応する領域に配置されていることを特徴とする請求項１〜３のいずれかに記載の表示装置。
【請求項５】
前記切り欠き部は、前記複数のシート部材の各々に１つずつ形成されていることを特徴とする請求項１〜４のいずれかに記載の表示装置。
【発明の詳細な説明】
【技術分野】
【０００１】
この発明は、表示装置に関し、特に、複数のシート部材が積層された構造を有する光学シートを備えた表示装置に関する。
【背景技術】
【０００２】
従来、表示装置として、液晶の光学的性質の変化を利用して表示を行う液晶表示装置が知られている。このような液晶表示装置では、液晶表示パネルの背面側にバックライトユニットが設けられており、そのバックライトユニットから発光される光が液晶表示パネルに照射されることによって、文字や画像などが表示される。また、従来の液晶表示装置に用いられるバックライトユニットは、光源、導光体および光学シートなどの部品を含んでおり、それらの部品が収納部材に収納された構造を有している。
【０００３】
ところで、従来の液晶表示装置では、バックライトユニットに含まれる光学シートとして、一般的に、複数のシート部材（たとえば、拡散シートやプリズムシートなど）が積層された構造を有する光学シートが用いられている。そして、複数のシート部材が積層された構造を有する光学シートを用いる場合には、液晶表示装置の仕様に基づいて、複数のシート部材の積層順序が決定されている。このため、従来では、液晶表示装置（バックライトユニット）の製造工程において、光学シートを構成する複数のシート部材を積層する際に、複数のシート部材の積層順序を確認することが可能なように構成されている（たとえば、特許文献１参照）。
【０００４】
上記特許文献１には、光学シートを構成する複数のシート部材と、その複数のシート部材が収納される収納部材（フレーム）との両方に対して、複数のシート部材の積層順序を確認するための加工が施された液晶表示装置が開示されている。上記特許文献１の具体的な構造としては、複数のシート部材に、それぞれ、互いに異なる位置に配置された突起部が形成されているとともに、収納部材には、複数のシート部材の各突起部とそれぞれ嵌合する複数の溝部が形成されている。そして、上記特許文献１では、シート部材の突起部と収納部材の溝部との嵌合状態を確認することによって、複数のシート部材の積層順序が正しいか否かが判別される。
【０００５】
【特許文献１】特開２００３−３５８９９号公報
【発明の開示】
【発明が解決しようとする課題】
【０００６】
しかしながら、上記特許文献１の構造では、光学シートを構成する複数のシート部材の積層順序を確認するために、複数のシート部材と、その複数のシート部材が収納される収納部材との両方に対して加工を施す必要があるので、製造工程が複雑になるという不都合がある。その結果、上記特許文献１では、製造工程が複雑になるのを抑制しながら、複数のシート部材の積層順序を確認するのが困難であるという問題点がある。
【０００７】
この発明は、上記のような課題を解決するためになされたものであり、この発明の目的は、複数のシート部材が積層された構造を有する光学シートを用いる場合において、製造工程が複雑になるのを抑制しながら、複数のシート部材の積層順序を確認することが可能な表示装置を提供することである。
【課題を解決するための手段】
【０００８】
上記目的を達成するために、この発明の一の局面による表示装置は、表示パネルと、表示パネルの背面側に設けられた収納部材と、収納部材に収納され、複数のシート部材が積層された構造を有する光学シートとを備えている。そして、複数のシート部材の各々には、互いに異なる切り欠き幅を有する切り欠き部が形成されており、複数のシート部材は、切り欠き部が階段状に重なるように積層されている。
【０００９】
この一の局面による表示装置では、上記のように、複数のシート部材の各々に互いに異なる切り欠き幅を有する切り欠き部が形成され、かつ、その切り欠き部が階段状に重なるように複数のシート部材が積層された構造を有する光学シートを用いることによって、光学シート（シート部材）の切り欠き部が形成された領域を目視することにより、複数のシート部材の積層順序を確認することができる。すなわち、一の局面では、複数のシート部材の各々に切り欠き部を新たに形成するだけで、複数のシート部材の積層順序を確認することができる。これにより、一の局面では、複数のシート部材の積層順序を確認するために、複数のシート部材に加えて、その複数のシート部材が収納される収納部材に対して新たに加工を施す必要がないので、収納部材の製造工程が複雑になるのを抑制することができる。その結果、一の局面では、複数のシート部材が積層された構造を有する光学シートを用いる場合において、製造工程が複雑になるのを抑制しながら、複数のシート部材の積層順序を確認することができる。
【００１０】
上記一の局面による表示装置において、好ましくは、複数のシート部材は、切り欠き部の切り欠き幅が一方側から一方側とは反対の他方側に向かって徐々に大きくなるように積層されている。このように構成すれば、容易に、切り欠き部が重なる領域を階段状にすることができる。
【００１１】
上記一の局面による表示装置において、好ましくは、収納部材は、底部を有しており、複数のシート部材は、切り欠き部の切り欠き幅が収納部材の底部側から収納部材の底部側とは反対側に向かって徐々に大きくなるように積層されている。このように構成すれば、底部を有する収納部材を用いる場合に、収納部材の底部側とは反対側から光学シート（シート部材）の切り欠き部が形成された領域を目視することにより、容易に、複数のシート部材の積層順序を確認することができる。
【００１２】
上記一の局面による表示装置において、好ましくは、表示パネルは、表示領域と非表示領域とを有し、シート部材に形成された切り欠き部は、非表示領域に対応する領域に配置されている。このように構成すれば、シート部材の切り欠き部が形成されている領域が画質に悪影響を及ぼすのを抑制することができるので、画質が低下するのを抑制することができる。
【００１３】
上記一の局面による表示装置において、好ましくは、切り欠き部は、複数のシート部材の各々に１つずつ形成されている。このように構成すれば、１つのシート部材に複数の切り欠き部を形成する場合に比べて、シート部材の加工を容易に行うことができる。
【発明の効果】
【００１４】
以上のように、本発明によれば、複数のシート部材が積層された構造を有する光学シートを用いる場合において、製造工程が複雑になるのを抑制しながら、複数のシート部材の積層順序を確認することが可能な表示装置を得ることができる。
【発明を実施するための最良の形態】
【００１５】
図１は、本発明の一実施形態による液晶表示装置（表示装置）を前面側から見た場合の斜視図である。図２は、図１に示した一実施形態による液晶表示装置の分解斜視図である。図３は、図１に示した一実施形態による液晶表示装置に含まれるバックライトユニットの平面図である。図４は、シート部材に形成された切り欠き部の周辺（図３の２点鎖線で囲まれた領域）の拡大平面図である。図５は、図４の１００−１００線に沿った断面図である。図６は、図１に示した一実施形態による液晶表示装置を背面側から見た場合の斜視図である（液晶表示装置から背面側ケースを取り外した状態）。まず、図１〜図６を参照して、本実施形態による液晶表示装置（表示装置）の構造について説明する。
【００１６】
本実施形態では、図１および図２に示すように、前面側に位置する前面側ケース１と、背面側に位置する背面側ケース２とによって、液晶表示装置のケース３が構成されている。ケース３を構成する前面側ケース１および背面側ケース２は、約０．３ｍｍの厚みを有する金属板からなる。また、前面側ケース１は、金属板が背面側に向かって折り曲げられることによって形成された側部を有するとともに、背面側ケース２は、金属板が前面側に向かって折り曲げられることによって形成された側部を有している。また、ケース３の内部には、枠体４が設けられている。この枠体４は、ポリカーボネート樹脂からなるとともに、ケース３の内側面に沿って延びる側部を有している。
【００１７】
また、図２に示すように、前面側ケース１には、後述する液晶表示パネル５の表示領域５ａを露出させるための開口部１ａが形成されている。また、前面側ケース１の側部には、複数の係合穴１ｂが形成されているとともに、背面側ケース２の側部には、複数の係合穴２ａが形成されている。また、枠体４の側部には、複数の突出片４ａが一体的に形成されている。そして、図１に示すように、枠体４の複数の突出片４ａは、それぞれ、前面側ケース１の複数の係合穴１ｂおよび背面側ケース２の複数の係合穴２ａのうちのいずれか１つに係合している。これにより、ケース３の内部において、枠体４がケース３に対して固定されている。
【００１８】
また、図２に示すように、ケース３の内部には、表示領域５ａおよび非表示領域５ｂを有する液晶表示パネル５と、その液晶表示パネル５の背面側に設けられたバックライトユニット６とが収納されている。なお、液晶表示パネル５は、本発明の「表示パネル」の一例である。また、本実施形態では、ケース３（前面側ケース１）の前面側にタッチパネル３０が設けられており、このタッチパネル３０により液晶表示装置の操作が行われるように構成されている。
【００１９】
また、液晶表示パネル５は、アクティブマトリクス構造を有している。すなわち、図示しないが、液晶表示パネル５の各画素には、ＴＦＴ（Ｔｈｉｎ  Ｆｉｌｍ  Ｔｒａｎｓｉｓｔｏｒ：薄膜トランジスタ）が１つずつ設けられている。また、液晶表示パネル５のＴＦＴのソース（図示せず）には、ソースドライバ７を含むＦＰＣ（Ｆｌｅｘｉｂｌｅ  Ｐｒｉｎｔｅｄ  Ｃｉｒｃｕｉｔ：フレキシブルプリント配線板）８が接続されているとともに、液晶表示パネル５のＴＦＴのゲート（図示せず）には、ゲートドライバ９を含むＦＰＣ１０が接続されている。
【００２０】
また、バックライトユニット６は、バックライトカバー１１と、反射シート１２と、導光体１３と、光源１４と、光学シート１５とによって構成されている。バックライトカバー１１は、金属板からなる。また、バックライトカバー１１は、底部と側部とを有するとともに、そのバックライトカバー１１の側部は、金属板が前面側に向かって折り曲げられることによって形成されている。また、バックライトカバー１１の底部とは反対側は、開口されている。そして、反射シート１２、導光体１３、光源１４および光学シート１５は、バックライトカバー１１の内部に収納されている。なお、バックライトカバー１１は、本発明の「収納部材」の一例である。
【００２１】
また、反射シート１２は、ポリエステル樹脂からなるとともに、バックライトカバー１１の底面上に配置されている。また、反射シート１２は、バックライトカバー１１の内側面に沿って配置された側部を有している。導光体１３は、アクリル樹脂などの透明樹脂からなるとともに、反射シート１２の前面側において反射シート１２の側部に囲まれるように配置されている。光源１４は、ＣＦＬ（Ｃｏｌｄ  Ｆｉｕｏｒｅｓｃｅｎｔ  Ｌａｍｐｓ：冷陰極管）からなるとともに、導光体１３の３辺を囲むように配置されている。すなわち、光源１４は、導光体１３の３辺に沿って延びるようにコの字状に形成されている。この光源１４には、リード線１６を介してコネクタ１７が接続されている。
【００２２】
また、光学シート１５は、平面的に見て実質的に長方形状に形成されているとともに、導光体１３の前面側の表面上に配置されている。また、光学シート１５は、複数のシート部材が積層された構造を有している。具体的には、光学シート１５は、拡散シート１８と、透明導電体シート１９と、拡散シート２０と、レンズシート２１と、輝度上昇シート２２とを含んでいる。なお、拡散シート１８、透明導電体シート１９、拡散シート２０、レンズシート２１および輝度上昇シート２２は、本発明の「シート部材」の一例である。
【００２３】
一方の拡散シート１８は、光源１４からの光を横方向または縦方向に拡散させる機能を有するとともに、他方の拡散シート２０は、光源１４からの光を縦方向または横方向に拡散させる機能を有している。透明導電体シート１９は、ＩＴＯ（Ｉｎｄｉｕｍ  Ｔｉｎ  Ｏｘｉｄｅ）などの透明導電体からなるとともに、ノイズを吸収する機能を有している。レンズシート２１は、光源１４からの光の集光などを行う機能を有している。輝度上昇シート２２は、光源１４からの光の輝度を上昇させる機能を有している。また、拡散シート１８、透明導電体シート１９、拡散シート２０、レンズシート２１および輝度上昇シート２２は、この順番で、背面側（バックライトカバー１１の底部側）から前面側（バックライトカバー１１の底部側とは反対側）に向かって積層されている。
【００２４】
ここで、本実施形態では、拡散シート１８、透明導電体シート１９、拡散シート２０、レンズシート２１および輝度上昇シート２２の各々に、互いに異なる切り欠き幅Ｗ１〜Ｗ５を有する切り欠き部１８ａ〜２２ａが形成されている。具体的には、図３〜図５に示すように、拡散シート１８には、所定の切り欠き幅Ｗ１を有する切り欠き部１８ａが１つ形成されている。また、拡散シート１８の前面側に位置する透明導電体シート１９には、切り欠き幅Ｗ１よりも大きい切り欠き幅Ｗ２を有する切り欠き部１９ａが１つ形成されている。また、透明導電体シート１９の前面側に位置する拡散シート２０には、切り欠き幅Ｗ２よりも大きい切り欠き幅Ｗ３を有する切り欠き部２０ａが１つ形成されている。また、拡散シート２０の前面側に位置するレンズシート２１には、切り欠き幅Ｗ３よりも大きい切り欠き幅Ｗ４を有する切り欠き部２１ａが１つ形成されている。また、レンズシート２１の前面側に位置する輝度上昇シート２２には、切り欠き幅Ｗ４よりも大きい切り欠き幅Ｗ５を有する切り欠き部２２ａが１つ形成されている。なお、以下の説明では、拡散シート１８、透明導電体シート１９、拡散シート２０、レンズシート２１および輝度上昇シート２２を、それぞれ、シート１８、シート１９、シート２０、シート２１およびシート２２という。
【００２５】
また、本実施形態では、複数のシート１８〜２２は、切り欠き部１８ａ〜２２ａが階段状に重なるように積層されている。具体的には、複数のシート１８〜２２は、切り欠き部１８ａ〜２２ａの切り欠き幅Ｗ１〜Ｗ５が背面側（バックライトカバー１１の底部側）から前面側（バックライトカバー１１の底部側とは反対側）に向かって徐々に大きくなるように積層されている。また、図２および図３に示すように、切り欠き部１８ａ〜２２ａは、平面的に見て、光源１４と重ならないように、非表示領域５ｂに対応する領域に配置されている。すなわち、切り欠き部１８ａ〜２２ａは、平面的に見て、光源１４に接続されたリード線１６に対応する領域に配置されている。
【００２６】
また、本実施形態では、図４に示すように、切り欠き部１８ａ〜２２ａは、平面的に見て、長方形状に形成されている。そして、長方形状の切り欠き部１８ａ〜２２ａの長辺は、平面的に見て、左右方向の位置が一致するように配置されている。また、長方形状の切り欠き部１８ａ〜２２ａの一方の短辺は、平面的に見て、上下方向の位置が一致するように配置されている。また、長方形状の切り欠き部１８ａ〜２２ａの他方の短辺は、平面的に見て、上下方向に所定の間隔を隔てて配置されている。すなわち、本実施形態では、長方形状の切り欠き部１８ａ〜２２ａの一方および他方の２つの短辺のうちの１つの短辺（他方の短辺）側の領域のみが階段状に重なっている。
【００２７】
また、本実施形態では、図３に示すように、バックライトカバー１１に複数のシート１８〜２２が収納された状態では、複数のシート１８〜２２は、自重により上側から下側に下がる。このため、バックライトカバー１１に複数のシート１８〜２２が収納された状態では、複数のシート１８〜２２は、その下側の端面がバックライトカバー１１の下側の内側面に当接している。すなわち、複数のシート１８〜２２は、その下側の端面がバックライトカバー１１の下側の内側面に当接することによって、上下方向の位置決めがなされている。そして、切り欠き部１８ａ〜２２ａは、それぞれ、バックライトカバー１１の下側の内側面に当接しないシート１８〜２２の端面側（左側の端面側）に形成されている。また、図５に示すように、切り欠き部１８ａ〜２２ａが重なることにより構成される階段構造の段差部４０は、上下方向に所定の間隔を隔てて配列されている。
【００２８】
また、図２および図６に示すように、バックライトユニット６の背面側（バックライトユニット６の液晶表示パネル５側とは反対側）には、制御基板（メイン基板）２３が設けられている。そして、ソースドライバ７を含むＦＰＣ８およびゲートドライバ９を含むＦＰＣ１０は、背面側に向かって折り曲げられることによって、制御基板２３に接続されている。また、ＦＰＣ８および１０が制御基板２３に接続された状態（図６の状態）では、ソースドライバ７およびゲートドライバ９が保護シート２４により覆われている。また、制御基板２３の背面側（制御基板２３のバックライトユニット６側とは反対側）には、サブ基板２５が設けられている。また、制御基板２３とサブ基板２５との間には、制御基板２３とサブ基板２５とを電気的に接続するためのコネクタ２６が設けられている。また、サブ基板２５には、バックライトユニット６から発光される光の輝度を測定するための輝度センサ２７が実装されている。
【００２９】
本実施形態では、上記のように、複数のシート１８〜２２の各々に互いに異なる切り欠き幅Ｗ１〜Ｗ５を有する切り欠き部１８ａ〜２２ａが形成され、かつ、その切り欠き部１８ａ〜２２ａが階段状に重なるように複数のシート１８〜２２が積層された構造を有する光学シート１５を用いることによって、光学シート１５（シート１８〜２２）の切り欠き部１８ａ〜２２ａが形成された領域を目視することにより、複数のシート１８〜２２の積層順序を確認することができる。すなわち、本実施形態では、複数のシート１８〜２２の各々に切り欠き部１８ａ〜２２ａを新たに形成するだけで、複数のシート１８〜２２の積層順序を確認することができる。これにより、本実施形態では、複数のシート１８〜２２の積層順序を確認するために、複数のシート１８〜２２に加えて、その複数のシート１８〜２２が収納されるバックライトカバー１１に対して新たに加工を施す必要がないので、バックライトカバー１１の製造工程が複雑になるのを抑制することができる。その結果、本実施形態では、複数のシート１８〜２２が積層された構造を有する光学シート１５を用いる場合において、製造工程が複雑になるのを抑制しながら、複数のシート１８〜２２の積層順序を確認することができる。
【００３０】
また、本実施形態では、上記のように、複数のシート１８〜２２を、切り欠き部１８ａ〜２２ａの切り欠き幅Ｗ１〜Ｗ５がバックライトカバー１１の底部側からバックライトカバー１１の底部側とは反対側に向かって徐々に大きくなるように積層することによって、容易に、切り欠き部１８ａ〜２２ａが重なる領域を階段状にすることができる。また、底部を有するバックライトカバー１１を用いる場合に、バックライトカバー１１の底部側とは反対側から光学シート１５（シート１８〜２２）の切り欠き部１８ａ〜２２ａが形成された領域を目視することにより、容易に、複数のシート１８〜２２の積層順序を確認することができる。
【００３１】
また、本実施形態では、上記のように、複数のシート１８〜２２の各々に形成された切り欠き部１８ａ〜２２ａを、平面的に見て、非表示領域５ｂに対応する領域に配置することによって、複数のシート１８〜２２の切り欠き部１８ａ〜２２ａが形成されている領域が画質に悪影響を及ぼすのを抑制することができるので、画質が低下するのを抑制することができる。
【００３２】
また、本実施形態では、上記のように、複数のシート１８〜２２の各々に形成された切り欠き部１８ａ〜２２ａを、平面的に見て、光源１４と重ならないように配置することによって、切り欠き部１８ａ〜２２ａが光源１４と重なるように配置されている場合に比べて、輝度ムラが発生するのを抑制することができる。これにより、画質が低下するのをより抑制することができる。
【００３３】
また、本実施形態では、上記のように、複数のシート１８〜２２の各々に、切り欠き部１８ａ〜２２ａを１つずつ形成することによって、１つのシートに複数の切り欠き部を形成する場合に比べて、シート１８〜２２の加工を容易に行うことができる。
【００３４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３５】
たとえば、上記実施形態では、５枚のシート部材によって構成された光学シートを用いたが、本発明はこれに限らず、光学シートを構成するシート部材の枚数は、２枚〜４枚であってもよいし、６枚以上であってもよい。なお、光学シートを構成するシート部材の枚数は、液晶表示装置の仕様に基づいて決定される。
【００３６】
また、上記実施形態では、複数のシート部材の各々に１つずつ切り欠き部を形成したが、本発明はこれに限らず、複数のシート部材の各々に２つ以上ずつ切り欠き部を形成してもよい。
【００３７】
また、上記実施形態では、切り欠き部の平面的な形状を長方形状にしたが、本発明はこれに限らず、切り欠き部の平面的な形状を長方形状以外の形状にしてもよい。たとえば、切り欠き部の平面的な形状を三角形状にしてもよいし、半円形状にしてもよい。
【図面の簡単な説明】
【００３８】
【図１】本発明の一実施形態による液晶表示装置（表示装置）を前面側から見た場合の斜視図である。
【図２】図１に示した一実施形態による液晶表示装置の分解斜視図である。
【図３】図１に示した一実施形態による液晶表示装置に含まれるバックライトユニットの平面図である。
【図４】シート部材に形成された切り欠き部の周辺（図３の２点鎖線で囲まれた領域）の拡大平面図である。
【図５】図４の１００−１００線に沿った断面図である。
【図６】図１に示した一実施形態による液晶表示装置を背面側から見た場合の斜視図である（液晶表示装置から背面側ケースを取り外した状態）。
【符号の説明】
【００３９】
５  液晶表示パネル（表示パネル）
５ａ  表示領域
５ｂ  非表示領域
１１  バックライトカバー（収納部材）
１５  光学シート
１８  拡散シート（シート部材）
１９  透明導電体シート（シート部材）
２０  拡散シート（シート部材）
２１  レンズシート（シート部材）
２２  輝度上昇シート（シート部材）
１８ａ、１９ａ、２０ａ、２１ａ、２２ａ  切り欠き部
【図１】
2008014992.tif 000003
【図２】
2008014992.tif 000004
【図３】
2008014992.tif 000005
【図４】
2008014992.tif 000006
【図５】
2008014992.tif 000007
【図６】
2008014992.tif 000008